(57)【要約】【課題】簡単な構造で汎用性の高い照明ユニット、並びに、そのような照明ユニットによって形成されるインテリア照明を提供する。【解決手段】第一面発光パネル３０と、第二面発光パネル３１と、固定用部材４を有する照明ユニット１を形成する。固定用部材４は、横長部３５と縦長部３６を有するものとし、横長部３５は、第一面発光パネル３０の裏面側に位置する横パネル配置部４０を備えたものとし、縦長部３６は、第二面発光パネル３１の裏面側に位置する縦パネル配置部４１を備えたものとする。そして、第一仮想線Ｌ１と第二仮想線Ｌ２が交わる点を基準点Ｐとし、基準点Ｐから横パネル配置部４０までの距離よりも基準点Ｐから縦パネル配置部４１までの距離を長くする。【選択図】図２
2019197657.tif 000002
【特許請求の範囲】
【請求項１】
少なくとも第一面発光パネルと第二面発光パネルを含む二以上の面発光パネルと、前記面発光パネルと取り付け対象となる壁面の間に介在する固定用部材を有し、
前記面発光パネルは、点灯時に発光領域を含む発光面と裏面を両主面とするものであり、
前記固定用部材は、横長部と縦長部を有しており、
前記横長部は、前記第一面発光パネルの裏面側に位置する横パネル配置部を有し、
前記縦長部は、前記第二面発光パネルの裏面側に位置する縦パネル配置部を有し、
前記横長部と前記縦長部を同一の仮想平面で切断した断面において、前記横長部と重なると共に前記横長部の延設方向に延びる仮想線を第一仮想線とし、前記縦長部と重なると共に前記縦長部の延設方向に延びる仮想線を第二仮想線としたとき、前記第一仮想線と前記第二仮想線とが略Ｌ字状に交わるものであり、
前記第一仮想線と前記第二仮想線が交わる点を基準点とし、前記基準点から前記横パネル配置部までの距離を規定長さａとし、前記基準点から前記縦パネル配置部までの距離を規定長さｂとしたとき、規定長さｂが規定長さａよりも長いことを特徴とする照明ユニット。
【請求項２】
前記横パネル配置部の一端部と、前記基準点は、前記横長部の延設方向における位置が同位置となる又は近接する位置となり、
前記縦パネル配置部の一端部と、前記縦長部のうちで前記基準点から最も離れた部分は、前記縦長部の延設方向における位置が同位置となる又は近接する位置となることを特徴とする請求項１に記載の照明ユニット。
【請求項３】
前記横長部と前記縦長部は、断面形状が略Ｌ字状となるように一体に連結されていることを特徴とする請求項１又は２に記載の照明ユニット。
【請求項４】
前記横長部の延設方向の長さを長さＡとし、前記縦長部の延設方向の長さを長さＢとしたとき、前記長さＡと前記長さＢが可変可能であることを特徴とする請求項１乃至３のいずれかに記載の照明ユニット。
【請求項５】
前記面発光パネルに電気的に接続される給電線を有し、前記給電線が格納される格納部を有することを特徴とする請求項１乃至４のいずれかに記載の照明ユニット。
【請求項６】
前記面発光パネルは、有機ＥＬパネルであることを特徴とする請求項１乃至５のいずれかに記載の照明ユニット。
【請求項７】
請求項１乃至６のいずれかに記載の照明ユニットと箱型部分を有するインテリア照明であって、
空間を区画する遮蔽体を取り付けるための遮蔽体取付部材を備え、
前記箱型部分は、内側面に離間対向する第一壁面と第二壁面を有し、前記第二壁面は、前記縦パネル配置部から距離Ｘ１だけ離れた位置に配され、
前記第一壁面と前記第二壁面の間に前記遮蔽体取付部材が位置しており、前記遮蔽体取付部材は、前記縦パネル配置部から距離Ｘ２まで離れた位置までの間に配され、
前記第一面発光パネルが、発光領域が下側に向くように配されると共に、前記第二面発光パネルが、発光領域が前記第二壁面に向くように配され、
Ｘ２／Ｘ１が０．４５以上０．７５未満となることを特徴とするインテリア照明。
【発明の詳細な説明】
【技術分野】
【０００１】
本発明は、光源に面発光パネルを用いた照明ユニットに関するものであり、特にカーテン等の遮蔽体の一部を収納する収納空間で好適に使用可能な照明ユニットに関する。また、そのような照明ユニットによって形成されるインテリア照明に関する。
【背景技術】
【０００２】
蛍光灯やＬＥＤに替わる発光デバイスとして、有機ＥＬ（Ｅｌｅｃｔｒｏ  Ｌｕｍｉｎｅｓｃｅｎｃｅ）パネルが注目され、多くの研究がなされている。
有機ＥＬパネルは、ガラス基板や透明樹脂フィルムの基材に、有機化合物等で構成される有機ＥＬ素子を積層した発光パネルである。有機ＥＬ素子は、陽極と陰極間に有機発光層を設けた発光素子である。有機発光層は、正孔注入層、正孔輸送層、発光層、電子輸送層、電子注入層等から構成されている。
【０００３】
その一方で、一般の住宅等において、多くの場合、カーテン、ブラインド、ロールスクリーン等の遮蔽体（以下、単に遮蔽体とも称す）を窓際等に配置している。また、このような遮蔽体を配置する際、遮蔽体の上側部分を収納するカーテンボックス、ブラインドボックス等の収納部（以下、遮蔽体収納部とも称す）を設ける場合がある。
【０００４】
例えば、特許文献１においても、ガラス戸の上側に、ガラス戸に沿って水平方向に延伸するように形成されたカーテンボックスが開示されている。このカーテンボックスは、下方側が開放された空間にカーテンレールを有しており、このカーテンレールにカーテンを吊り下げて使用するものとなっている。
なお、特許文献１では、カーテンボックスを利用して形成する換気装置が開示されており、カーテンボックス内の一部に空気流路が形成された構造が開示されている。
【先行技術文献】
【特許文献】
【０００５】
【特許文献１】特開２０１８−４２３１号公報
【発明の概要】
【発明が解決しようとする課題】
【０００６】
ところで、室内等の空間全体を明るくするための全般照明を暗めに設定し、これに全般照明を補う照明である部分照明を組み合わせ、美しく洗練された光空間を形成する照明手法が知られている。
【０００７】
本発明者らは、面発光パネルを光源とする照明ユニットを構築し、遮蔽体収納部の内部や折り上げ天井等の水平面（又は略水平面）と鉛直面（又は略鉛直面）が交わる角部分周辺に配置して、部分照明として使用することを考えた。
また、このような照明ユニットを安価に製造可能とすると共に、様々な場所で使用可能な汎用性が高いものとすることを考えた。
【０００８】
そこで本発明は、簡単な構造で汎用性の高い照明ユニットを提供することを課題とする。また、そのような照明ユニットを備えたインテリア照明を提供することを課題とする。
【課題を解決するための手段】
【０００９】
上記課題を解決するための請求項１に記載の発明は、少なくとも第一面発光パネルと第二面発光パネルを含む二以上の面発光パネルと、前記面発光パネルと取り付け対象となる壁面の間に介在する固定用部材を有し、前記面発光パネルは、点灯時に発光領域を含む発光面と裏面を両主面とするものであり、前記固定用部材は、横長部と縦長部を有しており、前記横長部は、前記第一面発光パネルの裏面側に位置する横パネル配置部を有し、前記縦長部は、前記第二面発光パネルの裏面側に位置する縦パネル配置部を有し、前記横長部と前記縦長部を同一の仮想平面で切断した断面において、前記横長部と重なると共に前記横長部の延設方向に延びる仮想線を第一仮想線とし、前記縦長部と重なると共に前記縦長部の延設方向に延びる仮想線を第二仮想線としたとき、前記第一仮想線と前記第二仮想線とが略Ｌ字状に交わるものであり、前記第一仮想線と前記第二仮想線が交わる点を基準点とし、前記基準点から前記横パネル配置部までの距離を規定長さａとし、前記基準点から前記縦パネル配置部までの距離を規定長さｂとしたとき、規定長さｂが規定長さａよりも長いことを特徴とする照明ユニットである。
なお、ここでいう「略Ｌ字状」とは、一方と他方とがなす角が直角となるものの他、８０度乃至１００度となるように屈曲しつつ連続するものを含むものとし、以下も同様とする。
【００１０】
本発明によると、簡単な構造で、様々な遮蔽体収納部の内部や折り上げ天井に簡単に配置可能な搬送性の高い照明ユニットを提供できる。さらに、略Ｌ字状の角部分（基準点付近）に一の光源（例えば、ＬＥＤのような点光源）を配するような構造とは異なり、共に拡散光を発する面状光源である第一面発光パネル（横パネル）と第二面発光パネル（縦パネル）をそれぞれ横長部と縦長部に配している。そして、基準点から横パネル配置部までの距離を規定長さａとし、基準点から縦パネル配置部までの距離を規定長さｂとしたとき、規定長さｂが規定長さａよりも長くなる構造としている。このことにより、それぞれの面発光パネルから照射される光が好ましく干渉し、独特の美しく洗練された光空間を形成できる。
【００１１】
請求項２に記載の発明は、前記横パネル配置部の一端部と、前記基準点は、前記横長部の延設方向における位置が同位置となる又は近接する位置となり、前記縦パネル配置部の一端部と、前記縦長部のうちで前記基準点から最も離れた部分は、前記縦長部の延設方向における位置が同位置となる又は近接する位置となることを特徴とする請求項１に記載の照明ユニットである。
なお、ここでいう「近接する位置」とは、「延設方向における位置が同位置」となる部分から横長部又は縦長部の延設方向で３０ｍｍ以下となる距離だけ離れた位置とする。
【００１２】
かかる構成によると、横パネルから照射される光と、縦パネルから照射される光をより好適に干渉させることが可能となる。
【００１３】
請求項３に記載の発明は、前記横長部と前記縦長部は、断面形状が略Ｌ字状となるように一体に連結されていることを特徴とする請求項１又は２に記載の照明ユニットである。
【００１４】
かかる構成によると、取り付け作業をより簡易化できる。
【００１５】
請求項４に記載の発明は、前記横長部の延設方向の長さを長さＡとし、前記縦長部の延設方向の長さを長さＢとしたとき、前記長さＡと前記長さＢが可変可能であることを特徴とする請求項１乃至３のいずれかに記載の照明ユニットである。
【００１６】
かかる構成によると、取り付け位置に応じて横長部、縦長部の長さを適宜調節できるので、好ましい。
【００１７】
請求項５に記載の発明は、前記面発光パネルに電気的に接続される給電線を有し、前記給電線が格納される格納部を有することを特徴とする請求項１乃至４のいずれかに記載の照明ユニットである。
【００１８】
かかる構成では、給電線を格納する格納部を有しており、給電線と外部部材との絡まりを防止したり、給電線を外部から目立たない位置に配したりすることが可能となる。
【００１９】
請求項６に記載の発明は、前記面発光パネルは、有機ＥＬパネルであることを特徴とする請求項１乃至５のいずれかに記載の照明ユニットである。
【００２０】
かかる構成によると、面発光パネルを薄く軽いものにできるので、高位置から落下しても人が怪我等をし難く、安全性の高いものにできる。
【００２１】
請求項７に記載の発明は、請求項１乃至６のいずれかに記載の照明ユニットと箱型部分を有するインテリア照明であって、空間を区画する遮蔽体を取り付けるための遮蔽体取付部材を備え、前記箱型部分は、内側面に離間対向する第一壁面と第二壁面を有し、前記第二壁面は、前記縦パネル配置部から距離Ｘ１だけ離れた位置に配され、前記第一壁面と前記第二壁面の間に前記遮蔽体取付部材が位置しており、前記遮蔽体取付部材は、前記縦パネル配置部から距離Ｘ２まで離れた位置までの間に配され、前記第一面発光パネルが、発光領域が下側に向くように配されると共に、前記第二面発光パネルが、発光領域が前記第二壁面に向くように配され、Ｘ２／Ｘ１が０．４５以上０．７５未満となることを特徴とするインテリア照明である。
なお、ここでいう「遮蔽体」とは、主に窓の付近に配されるカーテン、ブラインド、ロールスクリーン、パネルスクリーン等の上位概念とし、以下の記載においても同様のものとする。
【００２２】
本発明のインテリア照明は、上記した照明ユニットを備えており、簡単に構築可能となっている。また、上記したように、第一面発光パネル（横パネル）と第二面発光パネル（縦パネル）のそれぞれから照射される光が好ましく干渉する上、照射された光とカーテン等の遮蔽体が好ましく干渉することで、美しく洗練された光空間を形成できる。
【発明の効果】
【００２３】
本発明によると、簡単な構造で汎用性の高い照明ユニットを提供できる。また、そのような照明ユニットを備え、美しく洗練された光空間を形成可能なインテリア照明を提供できる。
【図面の簡単な説明】
【００２４】
【図１】本発明の実施形態に係るカーテンボックス照明を示す断面斜視図である。
【図２】図１の主要部分を示す断面図であり、カーテンを省略して示す。
【図３】（ａ）は、上記とは異なる実施形態に係る照明ユニットを採用したロールスクリーンボックス照明を示す断面図であり、（ｂ）は（ａ）の主要部分を示す断面図である。
【図４】上記とは異なる実施形態に係るカーテンボックス照明を示す断面図であり、（ａ）、（ｂ）はそれぞれ異なる取付壁面に取り付けた状態を示す。
【図５】上記とは異なる実施形態に係る取付部材の主要部分を模式的に示す図であり、（ａ）は分解斜視図であり、（ｂ）は側面図である。
【図６】上記とは異なる実施形態に係る取付部材の主要部分を模式的に示す図であり、（ａ）は分解斜視図であり、（ｂ）は一部を透過して示す側面図である。
【図７】上記とは異なる実施形態に係る取付部材を模式的に示す図であり、（ａ）は分解斜視図であり、（ｂ）は斜視図である。
【図８】本発明者らが行った実験で作成した照明ユニットのモデルを模式的に示す説明図である。
【発明を実施するための形態】
【００２５】
以下、本発明の各実施形態について、図面を参照しつつ詳細に説明するが、本発明はこれらの例に限定されるものではない。なお、以下の説明において、上下方向や、長手方向は、特に断りのない限り、図１で示される状態を基準として説明する。
【００２６】
第一実施形態の照明ユニット１は、図１で示されるように、２つの面発光パネル３と取付部材４（固定用部材）を備えており、カーテンボックス２（箱型部分）の内部空間２ａに取り付けられてカーテンボックス照明５（インテリア照明）を形成するものである。
【００２７】
カーテンボックス２は、少なくとも下方側が開放された空間を形成する箱型部分であり、本実施形態では、建屋室内に備え付けられ、室内壁面と一体的に形成される部分となっている。具体的には、このカーテンボックス２は、窓部分（図示しない）と近接する室内空間の上側部分に位置しており、天井面に埋め込まれるように形成されている。
【００２８】
具体的には、カーテンボックス２は、図２で示されるように、内側面として第一側壁面１０（第一壁面）と、第二側壁面１１（第二壁面）と天面１２を有しており、断面形状が略コ字状となる部分となっている。
第一側壁面１０と第二側壁面１１は、いずれも水平面に対して垂直となる鉛直面であり、互いに平行となるように水平方向で離間対向する面となっている。
なお、ここでいう「水平方向」とは、完全に水平面と平行となる方向の他、微細に上下方向に傾いた方向（上下方向に１、２度程度傾いた方向）を含むものする。すなわち、「水平方向」とは、水平方向成分を含む方向であって実質的に水平方向となる方向であり、以下の記載についても同様のものとする。また、「鉛直方向（上下方向）」についても同様に、完全に水平面と直交する方向の他、微細に傾いた方向を含むものとする。
【００２９】
天面１２は、第一側壁面１０の上側端部と第二側壁面１１の上側端部とを接続するように延びる水平面である。
これらのことから、天面１２と第一側壁面１０が交わる角部分である第一角部１５では、これら二面のなす角が直角（又は略直角）となっている。このことは、天面１２と第二側壁面１１が交わる第二角部１６でも同様である。
【００３０】
このカーテンボックス２は、カーテン２１（遮蔽体、図１参照）の上端部分とカーテンレール２２（遮蔽体取付部材）の周囲を覆うように形成されている。
具体的には、天面１２にカーテンレール２２が取付用の金具を介して固定されており、カーテンレール２２にカーテン２１が吊架されている。このとき、カーテン２１の上端部分の各部は、ランナー部材（図示しない）を介してカーテンレール２２に取り付けられており、これらの部分がカーテンレール２２の延び方向に移動自在となっている。
なお、カーテンレール２２の延び方向は、カーテンボックス２の幅方向及び長手方向（図２における奥行き方向）であり、取付部材４の長手方向でもある。
【００３１】
面発光パネル３は、図２で示されるように、面状に広がりを持つ略四角形板状の有機ＥＬパネルであり、具体的には、有機ＥＬ素子を内蔵する板状の有機ＥＬパネル本体２５に、枠状のフレーム部材２６を取り付けて形成されている。この面発光パネル３は、一方の主面となる発光面３ａと、他方の主面となる裏面３ｂを有する。
【００３２】
発光面３ａは、中心側に位置する発光領域と、縁端側に位置する非発光領域に区画されている。発光領域は、点灯時に面状の拡散光を発する部分であり、非発光領域は、有機ＥＬパネル本体２５の縁端部分がフレーム部材２６によって覆われて形成される。
【００３３】
裏面３ｂには、外部の給電端子と電気的な接点となるコネクタ部（図示しない）が形成されている。すなわち、面発光パネル３は、このコネクタ部から給電されることで発光する。また、本実施形態の面発光パネル３は、図示しない回路基板を備えており、輝度の変更（調光）が可能となっている。つまり、面発光パネル３は、通電することで発光し、調光が可能な面状光源である。
【００３４】
本実施形態では、２つの面発光パネル３の一方が横パネル３０（第一面発光パネル）であり、他方が縦パネル３１（第二面発光パネル）となっている。
横パネル３０は、発光領域が下方側を向くように配置される面発光パネル３であり、主面（例えば、発光面３ａ）の広がり方向が水平面と略平行となるように配置されている。
縦パネル３１は、発光領域が第二側壁面１１側を向くように配置される面発光パネル３であり、主面（例えば、発光面３ａ）の広がり方向が鉛直面と略平行となるように配置されている。
【００３５】
取付部材４は、平板状の横長部３５と、立板状の縦長部３６を有しており、これらが一体に連続している。
本実施形態の取付部材４は、断面形状（横断面の形状）が略Ｌ字状となるように延びる長尺体であり、横長部３５と立板状の縦長部３６とが一体に連続している。
【００３６】
横長部３５は、横パネル３０を固定するための部分である横パネル配置部４０を有する。横パネル配置部４０は、横パネル３０の裏面３ｂ側部分が固定される部分であり、平面視において横パネル３０と重なる部分である。
【００３７】
縦長部３６は、縦パネル３１を固定するための部分である縦パネル配置部４１を有する。縦パネル配置部４１は、縦パネル３１の裏面３ｂ側部分が固定される部分であり、正面視（視線方向を水平方向として第一側壁面１０側からみた平面視）において、縦パネル３１と重なる部分である。
本実施形態では、縦長部３６のうち、横長部３５から最も離れた位置にある端部（下端部分）側の部分が縦パネル配置部４１となっている。すなわち、縦長部３６は、上側部分と、下端側周辺に位置する縦パネル配置部４１に区画されている。
【００３８】
本実施形態の取付部材４では、横長部３５と縦長部３６の境界となる結節部分が、横長部３５における第一側壁面１０側の端部に位置している。
【００３９】
ここで、取付部材４の横断面（カーテンボックス２の幅方向と直交する面（仮想平面）で切断した断面）において、横長部３５の横パネル３０側の面と重なり、且つ、水平方向（横長部３５の延設方向）に延びる仮想線を第一仮想線Ｌ１とする。そして、同横断面において、縦長部３６の縦パネル３１側の面と重なり、且つ、鉛直方向（縦長部３６の延設方向）に延びる仮想線を第二仮想線Ｌ２とする。このとき、第一仮想線Ｌ１と第二仮想線Ｌ２が交わる点は、上記した結節部分の一点である結節点Ｐ（基準点）となる。
【００４０】
そして、横パネル配置部４０は、横方向における片側端部（第一側壁面１０側の端部）が結節点Ｐと重なる位置（平面視で重なる位置）に配されている。つまり、横方向における結節点Ｐから横パネル配置部４０までの距離（規定長さａであり、以下、第一横長さａ１とも称す）が０ｍｍとなっている。
なお、ここでいう「横方向」とは、上記横断面における横長部３５の延設方向であり、第一仮想線Ｌ１の延び方向とし、以下の説明においても同様とする。つまり、本実施形態では、横方向は水平方向でもある。
【００４１】
対して、縦パネル配置部４１は、縦方向における片側端部（上端端部）が結節点Ｐから規定の長さ（規定長さｂであり、以下、第一縦長さｂ１とも称す）だけ離れた位置に配されている。そして、この第一縦長さｂ１が第一横長さａ１よりも長いものとなっている。
なお、ここでいう「縦方向」とは、上記横断面における縦長部３６の延設方向であり、第二仮想線Ｌ２の延び方向とし、以下の説明においても同様とする。つまり、本実施形態では、縦方向は上下方向（鉛直方向）でもある。
【００４２】
つまり、横パネル３０（横パネル配置部４０）は、結節点Ｐと近接する位置に配するのに対し、縦パネル３１（縦パネル配置部４１）は結節点Ｐから離れた位置に配される。
本実施形態では、縦パネル配置部４１は、縦長部３６のうちで最も結節点Ｐから離れた部分（下端部分）を含んで形成されている。すなわち、縦パネル配置部４１の下端部分と、縦長部３６の下端部分とは、縦方向における位置が同位置となっている。
【００４３】
なお、本実施形態では、横方向における横長部３５の全長Ａ１（長さＡ）と、横パネル配置部４０の長さと、横パネル３０の長さが略同一の長さとなっている。そして、横長部３５の略全域が横パネル配置部４０となっており、横方向における横パネル配置部４０の両端部分のそれぞれと、同方向における横パネル３０の両端部分のそれぞれが平面視で重なった状態となっている。このことから、横方向において、横パネル配置部４０の端部（第二側壁面１１側の端部）は、結節点Ｐから長さＡだけ離れた位置に配されている。
なお、ここでいう「略同一の長さ」とは、数パーセントの誤差を含むものとし、以下の記載においても同様とする。
【００４４】
対して、縦方向における縦長部３６の全長Ｂ１（長さＢ）は、縦パネル配置部４１の長さよりも長くなっている。そして、縦方向における縦パネル配置部４１の長さと、縦パネル３１の長さが略同一の長さとなっており、これらの下端部分同士と上端部分同士は、縦方向における位置が同位置となっている。
したがって、縦パネル３１の下端部分は、取付部材４の上端部分から長さＢだけ離れた位置に位置する。言い換えると、上記した結節部分の上端に位置する一点（結節点Ｐとは異なる結節点である結節点Ｐ２）から長さＢだけ離れた位置に位置する。
【００４５】
なお、本実施形態の取付部材４は、横長部３５が天面１２と接触すると共に、縦長部３６の上端部分が天面１２と接触し、且つ、縦長部３６の一主面の上側部分が第一側壁面１０と接触するように取り付けられている。すなわち、取付部材４の断面形状における角部分が、第一角部１５と接触するように取り付けられている。
そして、縦長部３６の下側部分が、第一側壁面１０の下端部分よりも下方側に片持ち状に突出した状態となっており、この突出部分に縦パネル配置部４１が位置している。
また、本実施形態では、縦長部３６の全長Ｂ１が横長部３５の全長Ａ１よりも長くなっている。
【００４６】
ここで、特に限定されるものではないが、長さＢは、５０ｍｍ以上２５０ｍｍ以下とすることが好ましく、７０ｍｍ以上２００ｍｍ以下とすることがより好ましく、１００ｍｍ以上１７０ｍｍ以下とすることがさらに好ましい。なお、本実施形態では、１３５ｍｍ程度の長さとしている。
また、長さＡは、３０ｍｍ以上１５０ｍｍ以下とすることが好ましく、４０ｍｍ以上１００ｍｍ以下とすることがより好ましく、５０ｍｍ以上８０ｍｍ以下とすることがさらに好ましい。なお、本実施形態では、６２ｍｍ程度の長さとしている。
なお、ここでいう「程度」とは、微細な誤差（公差）を含むものとし、以下も同様のものとする。
【００４７】
そして、第一縦長さｂ１は、長さＢの３５パーセント以上７５パーセント以下の長さとすることが好ましく、５０パーセント以上７０パーセント以下の長さとすることがより好ましく、５５パーセント以上６５パーセント以下の長さとすることがさらに好ましい。なお、本実施形態では、長さＢの５９．２パーセント程度の長さとしている。
また、第一横長さａ１は０ｍｍ以上１０ｍｍ以下とすることが好ましく、０ｍｍ以上５ｍｍ以下とすることがより好ましく、０ｍｍ以上２ｍｍ以下とすることがさらに好ましい。
【００４８】
この場合、第二側壁面１１から、縦長部３６の第二側壁面１１側の面までの距離（長さＣ）は、５０ｍｍ以上４００ｍｍ以下とすることが好ましく、１００ｍｍ以上３００ｍｍ以下とすることがより好ましく、１５０ｍｍ以上２５０ｍｍ以下とすることがさらに好ましい。なお、本実施形態では２００ｍｍ程度としている。
【００４９】
ところで、本実施形態では、カーテンレール２２のうち、最も第一側壁面１０側に位置するカーテンレール２２は、第二側壁面１１から１００ｍｍ程度離れた位置に配置している。すなわち、この第一側壁面１０側のカーテンレール２２の横方向における中心位置は、第二側壁面１１から横方向に長さＣの５０パーセント程度だけ離れた位置に配される。
【００５０】
続いて、第二実施形態に係る照明ユニット１０１について説明する。なお、第一実施形態と同様の部分については、同じ符号を付し、重複する説明を省略する。
【００５１】
本実施形態の照明ユニット１０１は、図３（ａ）で示されるように、ロールスクリーンボックス１０２（箱型部分）の内部空間１０２ａに構築されるものである。詳細には、２つの面発光パネル３が取付部材１０４（固定用部材）を介してロールスクリーンボックス１０２の内壁面に固定され、スクリーンボックス照明１０５（インテリア照明）を形成している。
【００５２】
このロールスクリーンボックス１０２もまた、少なくとも下方側が開放された空間を形成する箱型部分であり、断面形状が略コ字状となる部分であって、内側面として第一側壁面１１０（第一壁面）と、第二側壁面１１１（第二壁面）と天面１１２を有する。
【００５３】
第一側壁面１１０と第二側壁面１１１は、いずれも水平面に対して垂直となる鉛直面であり、互いに平行となるように水平方向で離間対向する面となっている。また、天面１１２は、第一側壁面１１０の上側端部と第二側壁面１１１の上側端部とを接続するように延びる水平面である。したがって、天面１１２と第一側壁面１１０が交わる角部分である第一角部１１５と、天面１１２と第二側壁面１１１が交わる第二角部１１６のそれぞれでは、二面のなす角が直角となっている。
【００５４】
このロールスクリーンボックス１０２は、ロールスクリーン１２１の上端部分の周囲を覆うように形成されている。
【００５５】
具体的に説明すると、ロールスクリーン１２１は、サイドフレームやセットフレーム（図示しない）等から構成されるフレーム部材１２１ａや、巻取り筒部（図示しない）、帯状のスクリーン部１２１ｂ（遮蔽体）を備えたものとなっている。そして、フレーム部材１２１ａをロールスクリーンボックス１０２の内壁面に固定することで、ロールスクリーンボックス１０２に取り付けられる。
このことから、ロールスクリーンボックス１０２の内部には、フレーム部材１２１ａや、巻取り筒部が常時収納され、スクリーン部１２１ｂが適宜の長さだけ下方側へ引き出される構造となっている。
【００５６】
本実施形態の取付部材１０４は、対となる横長部１３５、縦長部１３６を有しており、これらによって形成される部材である。すなわち、離れた位置に別途配置される横長部１３５、縦長部１３６によって形成される部材である。
【００５７】
横長部１３５は、平板状の部材であり、横パネル３０を固定するための部分である横パネル配置部１４０を有する。上記と同様に、横パネル配置部１４０は、横パネル３０の裏面３ｂ側部分が固定される部分であり、平面視において横パネル３０と重なる部分である。
【００５８】
縦長部１３６は、立板状の部材であり、縦パネル３１を固定するための部分である縦パネル配置部１４１を有する。上記と同様に、縦パネル配置部１４１は、縦パネル３１の裏面３ｂ側部分が固定される部分であり、正面視（視線方向を水平方向として第一側壁面１１０側からみた平面視）において、縦パネル３１と重なる部分である。
【００５９】
なお、第一実施形態では、横パネル３０の全域が平面視で横パネル配置部４０と重なるように配置されているのに対し（図２参照）、本実施形態では、横パネル３０の一部のみが平面視で横パネル配置部１４０と重なるように配置されている。
そして、縦パネル３１においても同様に、縦パネル３１の一部のみが正面視で縦パネル配置部１４１と重なるように配置されている。
【００６０】
ここで、取付部材１０４の横断面（ロールスクリーンボックス１０２の幅方向と直交する面で切断した断面）において、横長部１３５の横パネル３０側の面と重なり、且つ、水平方向（横長部１３５の延設方向）に延びる仮想線を第一仮想線Ｌ１とする。そして、同横断面において、縦長部１３６の縦パネル３１側の面と重なり、且つ、鉛直方向（縦長部１３６の延設方向）に延びる仮想線を第二仮想線Ｌ２とする。
このとき、第一仮想線Ｌ１と第二仮想線Ｌ２が交わる点が、仮想的な結節点である仮想結節点Ｐ３（基準点）となる。
【００６１】
すなわち、図３（ｂ）で示されるように、横長部１３５と縦長部１３６の少なくとも一方（図３（ｂ）では縦長部１３６）を延設方向に仮想的に延長し、あたかも上記の取付部材４のように、上記横断面における全体形状を略Ｌ字状とした場合について考える。
この場合、この略Ｌ字形状における角部分の近傍に、平板状部分と立板状部分の仮想的な境界となる部分（図３（ｂ）の太線部分）が形成される。そして、この仮想的な境界となる部分（結節部分）の一点を仮想的な結節点（仮想結節点Ｐ３）としている。
【００６２】
そして、横パネル配置部１４０は、仮想結節点Ｐ３から横方向に規定の長さ（規定長さａであり、以下、第二横長さａ２とも称す）だけ離れた位置に形成されている。
対して、縦パネル配置部１４１は、縦方向における片側端部（上端端部）が仮想結節点Ｐ３から規定の長さ（規定長さｂであり、以下、第二縦長さｂ２とも称す）だけ離れた位置に配されている。そして、この第二縦長さｂ２が第二横長さａ２よりも長いものとなっている。
【００６３】
ここで、本実施形態の取付部材１０４では、横長部１３５は、上面が天面１１２の接触し、且つ、第一側壁面１１０側の端面が第一側壁面１１０と接触するように取り付けられている。つまり、横長部１３５は、第一側壁面１１０側上方の角部分が第一角部１１５と接触するように取り付けられている。
加えて、縦長部１３６は、第一側壁面１１０側の主面が第一側壁面１１０と接触し、且つ、下端部分が第一側壁面１１０の下端部分と縦方向における位置が同位置となるように取り付けられている。
【００６４】
そして、横パネル３０は、第二側壁面１１１側の端部（仮想結節点Ｐ３とは逆側に位置する端部）側の部分が、横長部１３５（横パネル配置部１４０）から第二側壁面１１１側に片持ち状に張り出した状態となっている。
そして、横パネル３０の張り出し部分と天面１１２の間に空隙部１５０（格納部）が形成される。この空隙部１５０は、横パネル３０への給電や制御信号の送信のための配線部材（給電線、図示しない）等を格納する空間となっている。
【００６５】
ここで、横方向における横長部１３５の全長Ａ２（長さＡ）と、横パネル３０の長さが同一の長さ（略同一の長さ）となっている。そして、横パネル配置部１４０の第一側壁面１１０側は、横長部３５の第一側壁面１１０側の端部よりも第二側壁面１１１側に離れた位置に配されている。
つまり、横パネル３０の張り出し長さは、第一側壁面１１０から横パネル３０までの距離と同一の長さ（略同一の長さ）となる。
【００６６】
また、縦パネル３１においても、上端部（仮想結節点Ｐ３側に位置する端部）が、縦長部１３６（縦パネル配置部１４１）から上側に片持ち状に張り出した状態となっている。
すなわち、縦パネル３１の張り出し部分と第一側壁面１１０の間に空隙部１５１（格納部）が形成される。この空隙部１５１は、縦パネル３１への給電や制御信号の送信のための配線部材（給電線、図示しない）等を格納する空間となっている。
【００６７】
なお、縦方向における縦長部１３６の全長Ｂ２（長さＢ）は、縦パネル３１の長さよりもやや短くなっている。そして、縦パネル３１（縦パネル配置部１４１）の下端部分は、縦長部１３６の下端部分よりもやや上方（本実施形態では５ｍｍ程度上方）に位置している。
つまり、縦パネル３１（縦パネル配置部１４１）の下端部分と、縦長部１３６の下端部分は、縦方向における位置が近接する位置となる。
【００６８】
ここで、上記したように、取付部材１０４の全体形状を仮想的な略Ｌ字状とした場合において、縦長部１３６と、縦長部１３６を上方に延設した仮想的な延設部分の縦方向における合計長さを長さＢ２α（図３（ｂ）参照）とする。
【００６９】
この場合、長さＢ２αは、上記した長さＢ１と同等程度の長さとなることが好ましく、長さＡ２は、上記した長さＡ１と同等程度の長さ（同等又は近似する長さ）となることが好ましい。
さらに、第二縦長さｂ２と長さＢ２αの関係は、上記した第一縦長さｂ１と長さＢ１の関係と同等の関係となることが好ましい。
加えて、第二横長さａ２は、上記した第一横長さａ１と同等程度の長さとなることが好ましい。
【００７０】
続いて、第三実施形態に係る照明ユニット２０１について説明する。なお、上記した各実施形態と同様の部分については、同じ符号を付し、重複する説明を省略する。以下の説明では、特に断りのない限り、図４（ａ）で示される状態を基準として説明する。
【００７１】
図４（ａ）で示されるように、本実施形態の照明ユニット２０１もまた、２つの面発光パネル３と取付部材２０４（固定用部材）を備えている。そして、取付部材２０４が横長部２３５と、縦長部２３６を有する部材となっている。
【００７２】
具体的に説明すると、取付部材２０４は、カーテンボックス２０２（箱型部分）の内壁面に固定する壁面固定用部材２０７と、横長部２３５と縦長部２３６を形成するパネル保持部材２０８を有する。
【００７３】
壁面固定用部材２０７は、本体板部２５５と、突起部２５６と、ネジ受部２５７を有する。
【００７４】
本体板部２５５は、断面形状が略Ｌ字状となる部材であり、接触板部２６０と、突出板部２６１を有する。
【００７５】
接触板部２６０は、取り付け対象の壁面（以下、取付壁面とも称す）と略平行となる板状部分であり、一方の主面である壁側主面２６０ａと、他方の主面である外側主面２６０ｂを有する。この接触板部２６０は、締結要素によって取付壁面に固定される部分でもあり、壁側主面２６０ａが取付壁面に接触した状態で取り付けられる。
突出板部２６１は、接触板部２６０の端部から取付壁面と略垂直となる方向に突出する部分である。
なお、ここでいう「締結要素」とは、ネジ、釘、ボルトといった、複数部材を貫通して（又は少なくとも一部材を貫通すると共に他の一部材内に挿通して）一体に固定する棒状の固定手段とし、以下の記載においても同様のものとする。
【００７６】
突起部２５６は、突出板部２６１の一主面から突出する部分であり、その突出方向は、突出板部２６１の突出方向と交わる方向になっている。そして、この突起部２５６と取付壁面の間には、隙間２５８が形成される。
【００７７】
ネジ受部２５７は、ナット部分を有し、取付ネジ２６５（詳しくは後述する）の軸部分の一部を配置する空間を形成するものであって、取付ネジ２６５と係合可能（螺合可能）となっている。
【００７８】
パネル保持部材２０８は、壁面固定用部材２０７を天面２１２（カーテンボックス２０２の内部空間における天面２１２）に固定する場合に横長部２３５となる係止部２６７と、縦長部２３６となる突出体部２６８を有する。
【００７９】
係止部２６７は、全体の断面形状が略Ｃ字状となるように屈曲して延びる部分であり、鉤状部２６７ａと、本体板部２６７ｂと、壁面当接部２６７ｃとが一体となって形成されている。
【００８０】
鉤状部２６７ａは、断面形状が略Ｖ字状となるように屈曲しつつ延びる部分である。
本体板部２６７ｂは、取付壁面（図４（ａ）では天面２１２）と平行に延びる平板状部分であり、取付壁面の反対側に位置する主面には、面発光パネル３（図４（ａ）では横パネル３０）を内部に収納可能な第一保持部２７３が設けられている。
第一保持部２７３には、発光面３ａが取付壁面の反対側（下方側）に向くように配された面発光パネル３の発光領域の下方側であり、且つ、発光領域と平面視で重なる位置に、内外を貫通する空隙部２７４が設けられている。すなわち、第一保持部２７３は、面発光パネル３を保持する（挟持する）部分である。図４（ａ）で示される状態では、横パネル３０の横方向における両端部分のそれぞれが２つの板状部分（本体板部２６７ｂの一部と、第一保持部２７３の一部）の間に位置した状態となる。
【００８１】
壁面当接部２６７ｃは、本体板部２６７ｂの延び方向における片側端部であって、鉤状部２６７ａ側とは反対側に位置する端部から取付壁面（図４（ａ）では天面２１２）側へ延びる板状部分である。
【００８２】
突出体部２６８は、壁側板部２７５と、パネル挟持部２７６と、押さえ板部２７７を有しており、全体としての形状が厚板状となる部分である。
【００８３】
壁側板部２７５は、本体板部２６７ｂから、壁面当接部２６７ｃとは逆側に延びる板状部分である。
【００８４】
パネル挟持部２７６は、壁側板部２７５の延び方向の先端（突出端）側部分と連続する部分であり、断面形状が略Ｕ字状（略コ字状）となるように屈曲しつつ延びる部分である。つまり、パネル挟持部２７６は、面発光パネル３（図４（ａ）では縦パネル３１）の発光面３ａ側に位置する第一板部２７６ａと、壁側板部２７５の突出端と連続する第二板部２７６ｂと、その間でこれらを連結する連結部２７６ｃが一体となって形成されている。
【００８５】
押さえ板部２７７は、本体板部２６７ｂに対して着脱可能な板状部材であり、取り付け時において、壁側板部２７５と離れた位置で同方向に延びる部分となっている。
【００８６】
以上のことから、突出体部２６８の内部には、面発光パネル３と、それに連なる配線部材（給電や制御信号の送信のための配線部材）を収納する収納空間２７９（格納部）が形成されている。つまり、収納空間２７９は、面発光パネル３を配置するための空間であり、配線部材を格納するための格納部としても機能する。
【００８７】
また、押さえ板部２７７と、パネル挟持部２７６の第一板部２７６ａの間には、面発光パネル３の光を外部へ取り出すための空隙部２８２が形成されている。
つまり、押さえ板部２７７と第一板部２７６ａとが、突出体部２６８におけるカーテンボックス２０２の内部空間側の面を形成しており、これらによって一つの水平板状の部分を形成されている。そして、この水平板状の部分に収納空間２７９の内外を連通する空隙部２８２が形成されている。
【００８８】
そして、収納空間２７９に配置された面発光パネル３は、縁端部分が保持された状態となる。すなわち、図４（ａ）で示される状態では、縦パネル３１の縦方向における一端部分が押さえ板部２７７の一部と壁側板部２７５の間に位置しており、他方側端部が、第一板部２７６ａと第二板部２７６ｂ、壁側板部２７５の間に位置する。
言い換えると、突出体部２６８は、突出端側の一部分（図４（ａ）では下方側の一部分）が面発光パネル３を保持するための第二保持部２８５として機能する。また、本実施形態では、面発光パネル３は、裏面３ａ側に位置する緩衝部材２８６と重ねられた状態で、保持されている。
【００８９】
本実施形態の照明ユニット２０１においても、第一仮想線Ｌ１と第二仮想線Ｌ２が交わる結節点Ｐと、横パネル３０の配置部（図４（ａ）では第一保持部２７３）、縦パネル３１の配置部（図４（ａ）では第二保持部２８５）の関係は、上記の各実施形態に準ずる。
なお、第一仮想線Ｌ１は、横パネル３０の裏面３ｂ側と隣接する位置で、横長部２３５（係止部２６７）と重なり、縦長部２３６の延設方向に延びる仮想線となっている。
また、第二仮想線Ｌ２は、縦パネル３１の裏面３ｂ側と隣接する位置で、縦長部２３６（突出体部２６８）と重なり、縦長部２３６の延設方向に延びる仮想線となっている。
【００９０】
この照明ユニット２０１をカーテンボックス２０２の内部に固定する際には、壁面固定用部材２０７を取付壁面に固定し、パネル保持部材２０８を壁面固定用部材２０７に係合させた状態とする。この状態では、鉤状部２６７ａの一部が隙間２５８に挿入され、壁面当接部２６７ｃが取付壁面と接触した状態となる。
さらに、パネル保持部材２０８と壁面固定用部材２０７が係合した状態において、取付ネジ２６５によりこれらを一体に固定する。すなわち、取付ネジ２６５の軸部分が本体板部２６７ｂを貫通した状態とし、取付ネジ２６５の軸部分の先端側を係止部２６７の内部空間に位置するネジ受部２５７と係合（螺合）させた状態とする。
【００９１】
壁面固定用部材２０７が固定される取付壁面は、カーテンボックス２０２の内部空間における天面２１２とする（図４（ａ）参照）他、図４（ｂ）で示されるように、内部空間における側壁面（第一側壁面２１０（第一壁面））としてもよい。
この場合、係止部２６７、突出体部２６８の長さを適宜調整してもよい。すなわち、図４（ｂ）で示されるように、係止部２６７の延設方向長さを長くし、突出体部２６８の延設方向長さを短くしてもよい。
また、この場合には、係止部２６７が縦長部となり、係止部２６７に保持される面発光パネル３が縦パネル３１となる。そして、突出体部２６８が横長部となり、突出体部２６８に保持される面発光パネル３が横パネル３０となる。
【００９２】
つまり、上記した第三実施形態の照明ユニット２０１は、面発光パネル３と、一の前記面発光パネル３を保持する保持部材（パネル保持部材２０８）と、壁面に固定される取付部材（壁面固定用部材２０７）を含む面発光ユニットである。
また、前記取付部材は、前記壁面に対して垂直となる面と交わる方向に突出する突起部２５６を備え、前記保持部材は、係止部２６７と一のパネル保持部（突出体部２６８であり、第二保持部２８５）を有する。さらに、前記係止部２６７は、湾曲又は屈曲して延びる形状であって、前記突起部２５６と前記壁面との間に挿入される挿入部（鉤状部２６７ａの一部）と、前記挿入部から離れた位置で前記壁面と接触する接触部（壁面当接部２６７ｃ）を有する。前記パネル保持部は、前記面発光パネル３を両主面側から挟持する挟持部（パネル挟持部２７６）を有する。そして、前記面発光パネル３を保持した前記保持部材を前記取付部材に取り付けることで、前記面発光パネル３及び前記保持部材の自重が前記壁面に支持される。また、係止部２６７は、一の面発光パネル３とは異なる面発光パネル３を保持するための他のパネル保持部（第一保持部２７３）を有する。
【００９３】
上記した実施形態では、室内備え付け型のカーテンボックス２やロールスクリーンボックス１０２（以下、カーテンボックス等とも称す）について説明した。すなわち、カーテンボックス等は、天井部分の一部を掘って形成されるものでもよく、天井や側壁部分に組み込まれて形成されるものでもよい。また、窓枠部分の一部を利用して形成されるものでもよい。この他、カーテンボックス等は、後付けで壁面に固定する後付け型のものであってもよい。
【００９４】
照明ユニット１，１０１，２０１は、カーテンボックス等のような遮蔽体の少なくとも一部を収納する収納空間内の他、折り上げ天井のような、室内における水平面と鉛直面（水平方向に広がる壁面と立壁部分）が連続する部分に取り付けてもよい。
【００９５】
また、縦長部と横長部は、第一実施形態や第二実施形態のような板状体、第三実施形態のような実質的な板状体とする他、棒状体や筒状体等の適宜な形状であってもよい。
【００９６】
さらに、縦長部、横長部に取り付けられる面発光パネル３は、カーテンボックス等の幅方向に長い平面視形状が略長方形状となるものを採用してもよく、平面視形状が略正方形状となるものを採用してもよい。このとき、この幅方向の長さ（水平方向長さ）に応じて、一つのみ取り付けてもよく、複数並置して取り付けてもよい。
【００９７】
また、第一実施形態のような取付部材４を採用する場合、横長部３５や縦長部３６の適宜な部分に取付壁面（カーテンボックス２の内壁面）側に窪んだ凹部や、欠落部を形成し、配線部材を格納する格納部としてもよい。
【００９８】
また、横長部３５や縦長部３６は、延設方向における全体長さ（例えば、長さＡ１、長さＢ１）を可変可能な構造としてもよい。
すなわち、図５で示されるように、横長部３３５は、収納体部３３７と、可動板状部３３８によって形成されていてもよい。以下、この第四実施形態の横長部３３５につき、詳細に説明する。
【００９９】
収納体部３３７は、内部に可動板状部３３８を収納可能な空間が形成される部材であり、上方を覆う天板部３３７ａと、下方側に位置する下板部３３７ｂと、これら間を連結する側板部３３７ｃとを有する。
下板部３３７ｂは、縁端を除く大部分に欠落部分３３９が形成されており、この欠落部によって収納体部３３７の内部空間と外部とが連通した状態となっている。
【０１００】
側板部３３７ｃには、締結要素を挿通するための貫通孔（図示しない）が形成されており、この貫通孔と隣接する位置に締結要素と係合（螺合）可能なナット３４０（被係合部材）が設けられている。
この貫通孔（図示しない）は、横長部３３５の延設方向と直交する方向にそれぞれ一つずつ設けられており、それぞれ別途締結要素を挿通可能となっている。
【０１０１】
可動板状部３３８は、平板状の本体部３３８ａと、本体部３３８ａの下端側に設けられたパネル取付部３３８ｂを有する。
パネル取付部３３８ｂは、面発光パネル３の裏面３ｂ側の一部が固定される部分である。このパネル取付部３３８ｂは、本体部３３８ａを収納体部３３７の内部空間に配した状態において、欠落部分３３９に位置する部分となっている。
【０１０２】
すなわち、可動板状部３３８の本体部３３８ａを収納体部３３７の内部空間に配し、横方向にスライド移動させることで、横長部３３５の全長Ａ４を可変可能となっている。そして、横長部３３５の全長Ａ４を可変させることで、結節点Ｐ４から横パネル３０までの長さａ４（規定長さａ）を可変させる（パネル配置部の位置を可変させる）ことが可能となっている。
また、本体部３３８ａを移動させた後、２つの締結要素を締め付けることで、本体部３３８ａを固定することができる。対して、本体部３３８ａを移動させる際には、２つの締結要素を緩めることで、本体部３３８ａを移動可能な状態へ移行させることができる。
なお、第四実施形態では、横長部３３５の全長Ａ４を可変可能な構造としたが、同様の構造を縦長部に採用してもよい。
【０１０３】
この他、図６で示されるように、横長部や縦長部は、延設方向における全体長さを規定長さとしつつ、面発光パネル３の取り付け位置（パネル配置部の位置）を可変可能な構造としてもよい。
【０１０４】
すなわち、第五実施形態では、横長部４３５を複数のレール部材４３８と、それぞれのレール部材４３８と係合可能な複数の掛止片部材４３９によって形成している。
【０１０５】
レール部材４３８は、横方向に延びる長尺状のレール本体部４３８ａと、壁面固定部４３８ｂとを有する。
レール本体部４３８ａは、その下面が鋸歯状の接合面４４０となっている。すなわち、レール本体部４３８ａの下面には、側面視形状（レール本体部４３８ａの幅方向を視線方向とする平面視）が三角形状であり、下端側に頂角部分が位置する突起片が複数設けられている。そして、この複数の突起片がレール本体部４３８ａの長手方向で並列するように配されている。
【０１０６】
壁面固定部４３８ｂは、取付壁面に固定するための部分であり、取り付け時に取付壁面と接触する板状部分と、この板状部分とレール本体部４３８ａの間に位置する連結体部を有する。
【０１０７】
掛止片部材４３９は、断面形状が略Ｃ字状となる本体部４３９ａと、係合片部４３９ｂを有する。
すなわち、本体部４３９ａは、横パネル３０の裏面３ｂが固定される下板部分と、下板部分の縁端からそれぞれ上方に延びる２つの側壁部分と、２つの側壁部分の上端側部分を互いに近づく方向へ折り曲げて形成される２つの上板部分を有する。そして、これらによって囲まれた部分が、レール本体部４３８ａの一部を収納するためのレール収納空間４４１となる。
【０１０８】
係合片部４３９ｂは、本体部４３９ａの下板部分の上側に形成される部分であり、側面視形状（レール本体部４３８ａの幅方向を視線方向とする平面視）が三角形状となる突出片部分である。
この係合片部４３９ｂと本体部４３９ａの下板部分の間には、バネ等の付勢部材が介在しており、係合片部４３９ｂは、この付勢部材によって常時上方に付勢されている。この係合片部４３９ｂは、接合面４４０の一部と係合可能となっている。つまり、係合片部４３９ｂは、付勢部材によって節度付けされている。
【０１０９】
すなわち、本実施形態では、横パネル３０に対して掛止片部材４３９を固定し、掛止片部材４３９のレール収納空間４４１にレール本体部４３８ａの一部を配した状態とすることで、横パネル３０を横方向に移動可能な状態で取り付け可能となっている。
【０１１０】
なお、横パネル３０を横方向に移動させると、係合片部４３９ｂが下方側へ移動して接合面４４０の一部との係合が解除され、その後、係合片部４３９ｂが上方側へ移動して接合面４４０の他部と係合する。
なお、第五実施形態では、横長部４３５において、面発光パネル３の配置位置（パネル配置部の位置）を可変可能な構造としたが、同様の構造を縦長部に採用してもよい。
【０１１１】
また、取付部材４（横長部３５、縦長部３６の少なくとも一方）は、カーテンボックス２等の幅方向（図２における奥行き方向）の長さを可変可能な構造としてもよい。
すなわち、第六実施形態では、図７で示されるように、取付部材５０４（固定用部材）が、第一形成片５０４ａと、第二形成片５０４ｂと、これらを連結する連結片５０４ｃとを備えた構造となっている。
【０１１２】
第一形成片５０４ａ、第二形成片５０４ｂは、いずれも断面形状が略Ｌ字状となる部材であって、横方向に延びる横長部形成片部５３７と、縦方向に延びる縦長部形成片部５３８が一体となって形成されている。
【０１１３】
連結片５０４ｃは、第一形成片５０４ａ、第二形成片５０４ｂのそれぞれと篏合可能な部材であり、第一篏合部５４１及び第二篏合部５４２と、これらを連結する連結薄板部材５４３を有する。
【０１１４】
第一篏合部５４１は、第一形成片５０４ａと第二形成片５０４ｂのそれぞれの横長部形成片部５３７を篏入可能な部分であり、詳細には、これら２つの横長部形成片部５３７の延設方向における先端側部分を嵌入可能な部分である。
第二篏合部５４２は、第一形成片５０４ａと第二形成片５０４ｂのそれぞれの縦長部形成片部５３８を篏入可能な部分であり、詳細には、これら２つの縦長部形成片部５３８の延設方向における先端側部分（下端側部分）を嵌入可能な部分である。
【０１１５】
第一篏合部５４１、第二篏合部５４２は、いずれも断面形状が略コ字状となるように屈曲しつつ延びる部分である。
なお、第一篏合部５４１の内側に形成される空間は、カーテンボックス２等の幅方向における両端部分と、横長部形成片部５３７の延設方向における基端側部分が開放された空間となっている。
また、第二篏合部５４２の内側に形成される空間は、カーテンボックス２等の幅方向における両端部分と、縦長部形成片部５３８の延設方向における基端側部分（上方側部分）が開放された空間となっている。
そして、連結薄板部材５４３は、断面形状が略Ｌ字状となる部分となっている。
【０１１６】
第一形成片５０４ａと第二形成片５０４ｂを連結片５０４ｃによって連結した状態（図７（ｂ）参照）では、第一篏合部５４１に対して、それぞれの横長部形成片部５３７を嵌入した状態とする。そして、第二篏合部５４２に対して、それぞれの縦長部形成片部５３８を嵌入した状態とする。
【０１１７】
このとき、それぞれの横長部形成片部５３７の下側面と、それぞれの縦長部形成片部５３８の一主面（取付壁面と反対側の面）との境界となる角部分に対し、連結薄板部材５４３の角部分が当接した状態となる。
【０１１８】
この状態で、第一形成片５０４ａ、第二形成片５０４ｂをカーテンボックス２等の幅方向へスライド移動させることで、取付部材５０４の同方向への長さを可変可能となっている。
なお、連結片５０４ｃは、非常に薄い板状体を折り曲げ加工して形成されている。そのため、第二篏合部５４２の取付壁面側の面が取付壁面と接触した状態で、第一形成片５０４ａと第二形成片５０４ｂそれぞれの縦長部形成片部５３８の取付壁面側の面を取付壁面と接触させることが可能となっている。
【０１１９】
次に、本発明を想到する上で、本発明者らが行った実験について説明する。
【０１２０】
図８で示されるように、第一実施形態のカーテンボックス照明５に準じ、結節点Ｐ５から横パネル配置部６４０までの距離と、結節点Ｐ５から縦パネル配置部６４１までの距離が上記とは異なるカーテンボックス照明６０５（インテリア照明）を複数作製した。
【０１２１】
具体的に説明すると、作製した複数のカーテンボックス照明６０５は、いずれも縦長部６３６の下側部分が、第一側壁面１０の下端部分と縦方向における位置が同一となっている点で、上記した第一実施形態のカーテンボックス照明５と異なる。
さらに、結節点Ｐ５から横パネル３０（横パネル配置部４０の片側端部）までの横方向における距離ａ５（規定長さａ）を、上記したａ１とは異なる長さとし、数ミリ程度としている。そして、結節点Ｐ５から縦パネル３１（縦パネル配置部４１の片側端部）までの縦方向における距離ｂ５（規定長さｂ）もまた、距離ａ５よりも数ミリ長く、上記したｂ１よりも短い長さとしている。
さらに、作成した複数のカーテンボックス照明６０５において、それぞれのａ５を同一の長さとすると共に、それぞれのｂ５を同一の長さとした。
【０１２２】
なお、このカーテンボックス照明６０５では、横方向における横長部６３５の両端部分がいずれも同方向における横パネル配置部６４０の両端部分と平面視で重ならない位置にある。すなわち、横方向における横パネル配置部６４０の結節点Ｐ５側の端部は、横長部６３５の結節点Ｐ５側の端部よりも結節点Ｐ５から離れた位置にある。また、横方向において、結節点Ｐ５とは反対側に位置する横パネル配置部６４０の端部は、結節点Ｐ５とは反対側に位置する横長部６３５の端部よりも結節点Ｐ５に近接する位置にある。
【０１２３】
作製した複数のカーテンボックス照明６０５では、第二側壁面１１から、縦長部６３６の第二側壁面１１側の面までの距離Ｘ１（上記した実施形態における長さＣに相当）を適宜異なる長さとして形成した。
また、カーテンレール２２のうちで、最も第一側壁面１０側に位置するカーテンレール２２から、縦長部６３６の第二側壁面１１側の面までの距離Ｘ２もまた、適宜異なる長さとして形成した。
そして、それぞれのカーテンボックス照明６０５において、横パネル３０と縦パネル３１を共に点灯し、カーテン２１の周辺の様子を観察した。
【０１２４】
距離Ｘ１を３００ｍｍとし、距離Ｘ２を２００ｍｍとした第一のモデル（一のカーテンボックス照明６０５）では、光の広がり具合が丁度よく、カーテン２１の周辺に美しく洗練された空間を形成できた。
【０１２５】
距離Ｘ１を１８０ｍｍとし、距離Ｘ２を８０ｍｍとした第二のモデル（他のカーテンボックス照明６０５）では、第一のモデルと比べて光の広がりが不十分であり、見た目が第一のモデルよりも劣るものとなってしまった。
【０１２６】
距離Ｘ１を４００ｍｍとし、距離Ｘ２を８０ｍｍとした第三のモデル（さらに他のカーテンボックス照明６０５）では、光は広がるものの、見た目が第一のモデルよりも劣るものとなってしまった。すなわち、正面からカーテン２１の根本部分が見えてしまったり、横から見たときに違和感を感じる場合があった。
【０１２７】
このように、距離Ｘ１と距離Ｘ２をそれぞれ変更して様々な組み合わせで印象評価を行った結果、カーテンボックス照明６０５として使用する際には、Ｘ２／Ｘ１が０．４５以上０．７５未満となることが好ましいことが判明した。
【符号の説明】
【０１２８】
１，１０１，２０１  照明ユニット
２  カーテンボックス（箱型部分）
３  面発光パネル
３ａ  発光面
３ｂ  裏面
４，１０４，２０４，５０４  取付部材（固定用部材）
５，６０５  カーテンボックス照明（インテリア照明）
１０，１１０,２１０  第一側壁面（第一壁面）
１１，１１１  第二側壁面（第二壁面）
２１  カーテン（遮蔽体）
２２  カーテンレール（遮蔽体取付部材）
３０  横パネル（第一面発光パネル）
３１  縦パネル（第二面発光パネル）
３５，１３５，２３５，３３５，４３５  横長部
３６，１３６，２３６  縦長部
４０，１４０，６４０  横パネル配置部
４１，１４１，６４１  縦パネル配置部
１０２  ロールスクリーンボックス（箱型部分）
１０５  スクリーンボックス照明（インテリア照明）
１２１ｂ  スクリーン部（遮蔽体）
１５０  空隙部（格納部）
１５１  空隙部（格納部）
２７９  収納空間（格納部）
Ｌ１  第一仮想線
Ｌ２  第二仮想線
Ｐ，Ｐ５  結節点（基準点）
Ｐ３  仮想結節点（基準点）
【図１】
2019197657.tif 000003
【図２】
2019197657.tif 000004
【図３】
2019197657.tif 000005
【図４】
2019197657.tif 000006
【図５】
2019197657.tif 000007
【図６】
2019197657.tif 000008
【図７】
2019197657.tif 000009
【図８】
2019197657.tif 000010